【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
燃焼タービン・エンジンの燃焼器の内部の冷却構成であって、前記燃焼器は、主燃料ノズルの下流に燃焼室を画定する半径方向内壁と、該半径方向内壁との間で流動円環を形成するように該半径方向内壁を包囲する半径方向外壁とを含んでおり、当該冷却アセンブリは、
前記半径方向外壁から前記流動円環の内部まで延在するソケットを含んでおり、該ソケットは、
前記半径方向外壁を貫通して形成された口と、
前記半径方向内壁の器外表面から予め決められた距離だけオフセットして設けられた床と、
該床を貫通して形成された衝突口と、
軸方向ノズルと、
を含み、
前記軸方向ノズルは、前記ソケットの中空の内部を通して延在する管を含んでおり、前記軸方向ノズルは、前記燃焼器の中心軸に関して近似的な軸方向配向を含んでおり、
前記軸方向ノズルの前記管は器内方向に傾斜している、
燃焼器冷却構成。
【請求項２】
前記ソケットは、前記半径方向外壁と前記床との間に延在する側壁により画定される中空の内部を含んでおり、
前記側壁は上流断面を含んでおり、
前記軸方向ノズルは、前記上流断面に形成された流入口と前記床を貫通して形成された流出口との間に伸張する管を含んでいる、
請求項１に記載の燃焼器冷却構成。
【請求項３】
前記軸方向ノズルの前記管は、実質的に線形である中心軸を含んでおり、
角度が、（ａ）前記管の前記中心軸の前方延長を含む参照線と、（ｂ）前記半径方向外壁の前記器外表面との間に形成され、
前記角度は２０°と６０°との間を含んでいる、
請求項２に記載の燃焼器冷却構成。
【請求項４】
前記ソケットは、前記半径方向外壁と前記床との間に延在する側壁により画定される中空の内部を含んでおり、
前記側壁は上流断面及び下流断面を含んでおり、
前記軸方向ノズルは、前記上流断面に形成された流入口と、前記下流断面に形成された流出口との間に伸張する管を含んでいる、
請求項１に記載の燃焼器冷却構成。
【請求項５】
前記軸方向ノズルの前記管は、実質的に線形である中心軸を含んでおり、
前記管は、前記中心軸が器内方向に傾斜するように構成されている、
請求項４に記載の燃焼器冷却構成。
【請求項６】
角度が、（ａ）前記管の前記中心軸の前方延長を含む参照線と、（ｂ）前記半径方向外壁の前記器外表面との間に形成され、
前記角度は０°と４５°との間を含んでいる、
請求項５に記載の燃焼器冷却構成。
【請求項７】
前記ソケットの前記側壁は、（ａ）前記ソケットの前記口と前記床を貫通して形成された前記衝突口との間を移動する第一の流体と、（ｂ）前記ソケットの外部の周囲を移動する第二の流体とを分離する分離構造を含んでおり、
前記軸方向ノズルの前記管は、（ａ）前記軸方向ノズルの前記管の内部を流れる第三の流体と、（ｂ）前記ソケットの前記口と前記床を貫通して形成された前記衝突口との間を移動する前記第一の流体とを隔離する分離構造を含んでおり、
前記上流断面及び前記下流断面は、前記流動円環を流れる流体の流れ方向に近似的に垂直に配向され、各々の断面が前記ソケットの軸方向幅だけ他方の断面からオフセットしている、
請求項１に記載の燃焼器冷却構成。
【請求項８】
前記半径方向外壁は、近似的な円形断面形状を含んでおり、
前記ソケットは、前記半径方向外壁の円周方向切片を含んでいる、
請求項１に記載の燃焼器冷却構成。
【請求項９】
前記円周方向切片は、円周方向幅が９０°よりも小さく、
前記円周方向切片は、広い次元及び狭い次元を含む近似的な矩形外形を含んでおり、
前記ソケットは、前記矩形外形の前記広い次元が円周方向に延在し、前記狭い次元が軸方向に延在するように構成されている、
請求項８に記載の燃焼器冷却構成。
【請求項１０】
各々のソケットが、円周方向に互いに隣り合って配設された円周方向切片を含んでいる、複数のソケットをさらに含んでいる請求項８に記載の燃焼器冷却構成。
【請求項１１】
前記円周方向切片の各々が９０°未満の類似の円周方向幅を含んでおり、
前記ソケットの各々が二つの軸方向ノズルを含んでおり、
互いに関連して、各々のソケットの前記二つの軸方向ノズルは円周方向に隔設されている、
請求項１０に記載の燃焼器冷却構成。
【請求項１２】
前記複数のソケットは、前記流動円環の少なくとも大半に外接する帯を形成するように構成されており、
前記帯の軸方向位置は、前記燃焼器のライナと尾筒との間の接合部の近くの位置を含んでいる、
請求項８に記載の燃焼器冷却構成。
【請求項１３】
前記ソケットの配置が前記半径方向内壁の熱スポットに対応しており、前記ソケットの前記配置により、前記衝突口が前記半径方向内壁の前記熱スポットに照準を合わせる、請求項１に記載の燃焼器冷却構成。
【請求項１４】
前記オフセットは、前記半径方向内壁の前記器外表面での望ましい衝突冷却特性に対応する距離を含んでおり、前記半径方向内壁はライナを含み、前記半径方向外壁は流動スリーブを含んでいる、請求項１に記載の燃焼器冷却構成。
【請求項１５】
前記ソケットの配置が前記半径方向内壁の熱スポットに対応しており、前記ソケットの前記配置により、前記軸方向ノズルが前記半径方向内壁の前記熱スポットに照準を合わせる、請求項１に記載の燃焼器冷却構成。
【請求項１６】
前記オフセットは、前記半径方向内壁の前記器外表面での望ましい衝突冷却特性に対応する距離を含んでおり、前記半径方向内壁は尾筒を含み、前記半径方向外壁は衝突スリーブを含んでいる、請求項１に記載の燃焼器冷却構成。
【請求項１７】
前記ソケットの半径方向高さは、前記流動円環を通る空気のさらに均等な流れを生成するように円周方向に変化するように構成されている、請求項１に記載の燃焼器冷却構成。
【請求項１８】
前記ソケットの半径方向高さは、当該ソケットが軸方向に下流に延在するのに伴って前記床と前記半径方向内壁との間の距離が増大するように軸方向に変化するように構成されている、請求項１に記載の燃焼器冷却構成。
【請求項１９】
前記軸方向ノズルは拡散体幾何学的構成を含んでおり、
前記軸方向ノズルの前記拡散体幾何学的構成は、（ａ）前記軸方向ノズルが下流方向に延在するのに伴って発散する側壁、及び（ｂ）前記軸方向ノズルが下流方向に延在するのに伴って発散する器内壁及び器外壁の少なくとも一方を含んでいる、
請求項１に記載の燃焼器冷却構成。
【請求項２０】
前記複数のソケットは、前記流動円環の円周の周囲で非一様分布を含んでおり、該非一様分布は、運転時に前記半径方向外壁の周囲の空気の期待される円周方向非一様性が与えられると、前記流動円環の内部にさらに一様な流れ分布を発生する構成を含んでいる、請求項１０に記載の燃焼器冷却構成。
【請求項２１】
主燃料ノズルの下流に燃焼室を画定する半径方向内壁と、
該半径方向内壁との間で流動円環を形成するように前記半径方向内壁を包囲する半径方向外壁と、
冷却アセンブリと
を備えた燃焼タービン・エンジンの燃焼器であって、前記冷却アセンブリは、
前記半径方向外壁から前記流動円環の内部まで延在し、前記半径方向外壁を貫通して形成された口を有するソケットと、
前記半径方向内壁の器外表面から予め決められたオフセット距離に配置された前記ソケットの床と、
該床を貫通して形成された衝突口と、
前記ソケットの上流側に形成された流入口と流出口との間に伸張する管を含む軸方向ノズルであって、器内傾斜を有する軸方向ノズルと
を含む、燃焼器。
【請求項２２】
当該燃焼器は、近似的な円形断面形状を含んでおり、
各々の冷却アセンブリが、互いに隣り合って配設されて円周方向に延在する円周方向切片を含んでいる、複数の前記冷却アセンブリをさらに含んでおり、
該複数の冷却アセンブリは、前記流動円環の少なくとも大半に外接する帯を形成するように構成されており、
前記帯の軸方向位置は前記ライナの後端の近くの位置を含んでいる、
請求項２１に記載の燃焼器。